(57)【要約】【課題】  仮設エレベータ用のゲートを、例えば小形の基本形ゲートから中形ゲート，大形ゲートへと容易かつ簡便に変更することができるのみならず、ゲートの開閉方式もキャスタ式、或は、キャスタ式と吊り車式の併用タイプに変更できるなど、仮設エレベータに応じたゲートを提供すること。【解決手段】  仮設エレベータ用に設置されるゲートであって、少なくとも左右２本に配設する下端にキャスタ７を備えた支柱１〜３と、各支柱同士の対向面において上，下部と中間部に設けた複数の平行リンクアームを枢着した伸縮ゲート部材における当該リンクアームの端部を支持する３箇所のリンクアーム支持部とを備え、前記支柱１〜３の上，下部におけるリンクアーム端部15の支持部が、当該アーム端部を上下スライド可能に支持すると共に、当該支柱１〜３の中間部におけるリンクアーム端部15の支持部は、当該端部を定位置で支持するようにしたことを特徴とする。【選択図】図１
0003141596.tif 000002
【実用新案登録請求の範囲】
【請求項１】
仮設エレベータ用に設置されるゲートであって、少なくとも左右２本に配設する下端にキャスタを備えた支柱と、各支柱同士の対向面において上，下部と中間部に設けた複数の平行リンクアームを枢着した伸縮ゲート部材における当該リンクアームの端部を支持する３箇所のリンクアーム支持部とを備え、前記支柱の上，下部におけるリンクアーム端部の支持部が、当該アーム端部を上下スライド可能に支持すると共に、当該支柱の中間部におけるリンクアーム端部の支持部は、当該端部を定位置で支持するようにしたことを特徴とする仮設エレベータ用ゲート。
【請求項２】
仮設エレベータ用に設置されるゲートであって、少なくとも左右２本に配設する下端にキャスタを備えた支柱と、各支柱同士の対向面において上，下部と中間部に設けた複数の平行リンクアームを枢着した伸縮ゲート部材における当該リンクアームの端部を支持する３箇所のリンクアーム支持部とを備え、前記各支柱に連接して設けその上端部に吊り車を有する延長支柱を備え、前記吊り車を、その上部に配置したレールに架装するようにしたことを特徴とする仮設エレベータ用ゲート。
【請求項３】
組合せて枢着した各リンクアームによる伸縮ゲート部材は、そのリンクアームの端部が支柱に設けた３箇所の支持部に支持できる大きさの単位で、支柱を介して連結しワイド化することができる請求項１又は２の仮設エレベータ用ゲート。
【請求項４】
ワイド化した仮設エレベータ用ゲートのレールは、ワイド化したゲートの幅に合せてレールを連結延長する請求項３の仮設エレベータ用ゲート。
【請求項５】
各支柱の上部に連接される延長支柱は高さ（長さ）可変の部材で形成した請求項１〜４のいずれかの仮設エレベータ用ゲート。
【請求項６】
支柱間の伸縮ゲート部材には、屏風折り（二つ折）タイプのパネル体を着脱式で装着した請求項１〜４のいずれかの仮設エレベータ用ゲート。
【考案の詳細な説明】
【技術分野】
【０００１】
本考案は高層ビルなどの建設現場などにおいて、資材や人を地上と上層部の間で運搬したり移動させるため仮設足場などに設置される仮設エレベータの躯体側の扉（ゲート）に関する。
【背景技術】
【０００２】
建設現場の仮設エレベータは、資材や人を運ぶために設置されるが、資材や人を安全裡に積載したり、運んだり、下したりするために、通常そのエレベータの正面側に、開閉式のゲートが設けられる。
【０００３】
この仮設エレベータ用のゲートには、建設現場における仮囲いの仮設出入口にパントグラフ状の平行リンク部材が伸縮変形することにより、出入口を開けたり閉じたりする伸縮門扉と同じような構成を備えたものが使用されることがある。
【０００４】
しかし、地上に設けられた仮囲いの出入口に設ける伸縮門扉と同様の構成であるといっても、仮設エレベータ用のゲートであるから、その開閉動作は円滑である必要がある。高い階層で仮設エレベータのゲートの開閉動作が渋いと、円滑な作業の妨げになるのみならず、危険でもあるからである。
【０００５】
一方、上記のような仮設エレベータは、建設現場ごとに仮設されるので、工事規模などの要因で、仮設エレベータの正面幅が一定ではなく、従って、現場ごとに仮設エレベータの大きさ（正面幅）が異なると、各仮説エレベータに取付けるゲートも正面幅の異なるものを取付ける必要がある。
【０００６】
この点は、現場ごとに取扱う資材の大きさや種類が異なったり、従事する作業員数が異なったりするため、仮設エレベータはそれぞれの現場に見合った正面幅のほか、エレベータのカゴ部の高さも現場によって異なるものが使用される。
【０００７】
上記のように、仮設エレベータに設けられるゲート（門扉）は、その開閉動作が円滑であることのほか、各現場に設置される仮設エレベータに見合った正面幅や高さを調整したものを予め用意しておく必要がある。
【０００８】
従来は、上記のような仮設エレベータに要請される種々の条件を満たす仮設エレベータ用のゲートは、需要が見込まれる大きさ（正面幅や高さ）の違いに対応するため、一例として、大形ゲート，中形ゲート，小形ゲートといった分類によって仮設エレベータ用のゲートを予め用意していた。また、ゲートの大きさによっては開閉動作がキャスタではなく吊り車を用いるものもあって、この点でも用意すべきゲートの種類が増大していた。
【０００９】
しかし乍ら、予めサイズの異なる仮設エレベータ用のゲートをそれぞれのサイズごとに予め準備しておくことは、一見して大きさの異なる仮設エレベータ用ゲートの需要に迅速に対応できる利点があるように見える反面、使用されない（需要のない）ゲートは在庫品として保管しておく必要があり、資材コストや保管コストなどの面からも合理的とはいい難い。
【考案の開示】
【考案が解決しようとする課題】
【００１０】
そこで本考案では、仮設エレベータ用のゲートを、例えば小形の基本形ゲートから中形ゲート，大形ゲートへと容易かつ簡便に変更することができるのみならず、ゲートの開閉方式もキャスタ式、或は、キャスタ式と吊り車式の併用タイプに変更できるなど、仮設エレベータに応じたゲートを提供することをその課題とする。
【課題を解決するための手段】
【００１１】
上記課題を解決することを目的としてなされた本考案仮設エレベータ用ゲートの構成は、仮設エレベータ用に設置されるゲートであって、少なくとも左右２本に配設する下端にキャスタを備えた支柱と、各支柱同士の対向面において上，下部と中間部に設けた複数の平行リンクアームを枢着した伸縮ゲート部材における当該リンクアームの端部を支持する３箇所のリンクアーム支持部とを備え、前記支柱の上，下部におけるリンクアーム端部の支持部が、当該アーム端部を上下スライド可能に支持すると共に、当該支柱の中間部におけるリンクアーム端部の支持部は、当該端部を定位置で支持するようにしたことを特徴とするものである。
【００１２】
本考案仮設エレベータ用ゲートでは、少なくとも左右２本に配設する下端にキャスタを備えた支柱と、各支柱同士の対向面において上，下部と中間部に設けた複数の平行リンクアームを枢着した伸縮ゲート部材における当該リンクアームの端部を支持する３箇所のリンクアーム支持部とを備え、前記各支柱に連接して設けその上端部に吊り車を有する延長支柱を備え、前記吊り車を、その上部に配置したレールに架装するようにしたことを特徴とすることもできる。
【００１３】
上記の本考案ゲートでは、組合せて枢着した各リンクアームによる伸縮ゲート部材は、そのリンクアームの端部が支柱に設けた３箇所の支持部に支持できる大きさの単位で、支柱を介して連結しワイド化することができる。ここで、ワイド化した仮設エレベータ用ゲートのレールは、ワイド化したゲートの幅に合せてレールを連結延長する。なお、各支柱の上部に連接される延長支柱は高さ（長さ）可変の部材で形成することが望ましい。また、支柱間の伸縮ゲート部材には、屏風折り（二つ折）タイプのパネル体を着脱式で装着すると、見映えも良好で安全性も高まる。
【考案の効果】
【００１４】
本考案では、少なくとも左右２本に配設する下端にキャスタを備えた支柱と、各支柱同士の対向面において上，下部と中間部に設けた複数の平行リンクアームを枢着した伸縮ゲート部材における当該リンクアームの端部を支持する３箇所のリンクアーム支持部とを備え、前記支柱の上，下部におけるリンクアーム端部の支持部が、当該アーム端部を上下スライド可能に支持すると共に、当該支柱の中間部におけるリンクアーム端部の支持部は、当該端部を定位置で支持するようにして仮設エレベータ用のゲートを構成したので、ゲートの１組の支柱間の幅単位で、当該ゲートの幅を変更することができる。これにより、予め複雑サイズ（例えば、大形，中形，小形など）のゲートを準備しておく無駄を省くことができる。
また、上記構成の本考案ゲートに対し、各支柱に上端に吊り車を有する延長支柱を連接して、それも高さ調節自在の延長支柱を連接して設けることにより、正面幅のみならず、高さにおいてもゲートの大きさの調節が自在になる。しかも、このゲートはキャスタと吊り車との併用タイプとなるから、ゲート開閉動作を至って円滑なものにすることができる。
【考案を実施するための最良の形態】
【００１５】
次に図を参照して本考案ゲートの実施の態様例について説明する。添付した図において、図１は本考案ゲートを展開して仮設エレベータの出入口ゲートを閉じた状態の第１例の正面図、図２は図１のゲートを縮小した（仮設エレベータの出入口ゲートは開いた）状態の正面図、図３は図１，図２のゲートの側面図、図４は図１のゲートの平面図、図５は本考案ゲートの第２例を展開した状態の正面図、図６は図５のゲートを縮小した正面図、図７は上記第２例のゲートに２折りタイプのパネルを装着して本考案ゲートの第３例にした展開状態の正面図である。
【００１６】
図１〜図４において、１，２，３はアルミ製などの金属製の３本の支柱で、左右側の２本の支柱１，３は、対称的な同一構成を具備している一方、中央の１本の支柱２は、左右の支柱１，３が備えている構成を当該支柱２の左右両面に備えている。
【００１７】
ここで各支柱１〜３が備えている構成とは、各支柱１〜３の上部と下部に設けた小翼板状の、後述するリンク部材の端部を可動的に支持する可動支持板４，５と、両支持板４，５の中間において後述するリンク部材の端部を位置固定（定位置）に支持する突出板状の固定支持部６とである。また、各支持１〜３の下端には、図の左右方向へのみ走行可能な固定キャスタ７が取付けられている。
【００１８】
つまり、左右の支柱１，３には、両支柱１，３の対向する側面に、上述した上部と下部の可動支持板４，５が夫々に設けられ、各支持板４，５の中間部に固定支持板６が設けられている。そして、中央の支柱２には、前記支柱１，３に対向した左右の両側面には、上記と同じ構成の可動支持板４，５と固定支持板６が設けられているのである。
【００１９】
上記支柱１〜３において、左右の支柱１，３には、夫々の外側の側面に、当該支柱１，３と平行なパイプ材による棒状の引手（又はハンドル）８，９が取付ブラケットを介して夫々に設けられている。
【００２０】
上記支柱１〜３は、平行かつ等間隔で立設され、組上げてパントグラフ状をなす複数の平行リンクアーム10，11及び12，13を、互に交叉する向きで配置し、各リンクアーム10〜13を、それらの各交点においてピボット枢着14すると共に、各枢着14によって組上げた伸縮ゲート体Sgを構成する当該平行リンクアーム10〜13の端部と枢着部14を、各支柱１〜３における可動支持板４，５及び固定支持板６にピボット枢着15することにより、伸縮ゲート体Sgが図１の展開状態で各支柱１〜３に取付けられ、本考案ゲートの第１例に形成されている。
【００２１】
ここで、リンクアーム10，11の端部15が可動的に支持される可動支持板４，５には、当該アーム10，11の端部15がスライドして位置決めされるガイド溝4a，5aが垂直に形成されており、その溝4a，5aのスライドエンドにはスライドした端部15を止める穴4b，5bが形成されている。
【００２２】
上記のように形成される本考案仮設エレベータ用ゲートの第１例は、各支柱１〜３が、リンクアーム10〜13をパントグラフ状のリンク組みによって連結されて伸縮ゲート体Sgに形成され、このゲート体Sgが図１の展開した状態によって仮設エレベータの出入口を塞ぐ（閉じる）ときの態様となり、エレベータの出入口を開けるときは、一方の支柱又は３を他方の支柱３又は１の側へ各キャスタ７の作用によって移動せると、図２に例示するように伸縮ゲート体Sgが集合した開扉状態になる。
【００２３】
次に、図１〜図４により説明したキャスタタイプ、つまり床上で固定キャスタ７の作用により図の左右方向に支柱１〜３が移動することにより仮設エレベータ用ゲートが開閉される本考案ゲートは、図５，図６に例示する態様によって固定キャスタ７と後述する吊り車17による本考案仮設エレベータ用ゲートの第２例に形成することができる。図５，図６において、図１〜図４のゲートと同一部材，同一部位には同一符号を用いる。
【００２４】
図５，図６において、16は上端に吊り車17を設けた延長支柱で、吊り車17の走行方向は原則として固定キャスタ７と同じ図の左右方向であるが、自在吊り車を用いることもある。
【００２５】
延長支柱16は、その下半側に、前述の支柱１〜３の上部に、一例としてビス止めにより接続するための複数のビス穴18が列設されている。なお、延長支柱16が連接される各支柱１〜３の上端近傍には、上記ビス穴18に対応した同ピッチで同じビス穴（図５，図６に表われず）が、少なくとも２個設けられている。
従って、延長支柱16は、各支柱１〜３に少なくとも２本のビスによってそのビス穴18から支柱１〜３のビス穴にビス止めすることにより、図５，図６に示す態様のように支柱１〜３の高さが、延長支柱16の高さ分だけ高くなる。
【００２６】
図５において、19は３本の延長支柱16の上端に設けた吊り車17を吊下支持、または、挟持して支持するなど適宜の支持方式で当該吊り車17を走行自在に支持するレールである。
【００２７】
図５，図６に例示した本考案ゲートの第２例は、仮設エレベータの例えば間口（正面幅）が大きく、支柱１〜３のキャスタだけではゲートの開閉動作が円滑になり難い場合に、開閉されるゲートを、仮設エレベータの床とその上方のレール19において吊り車17とキャスタ７とを支持するので、間口幅が大きな仮設エレベータのゲートとして好適である。
【００２８】
図７の本考案ゲートの第３例は、図５，図６で説明した本考案の第２例のゲートに、２つ折りタイプのパネル20を取付けた本考案ゲートである。図７においても、図１〜図６と同一部材，同一部位には同じ符号を用いている。なお、パネル２０は2つ折りタイプに限られず、1枚ごと分離したパネルを使用してもよい。
【００２９】
図７の本考案ゲートではパネル20を取付けるために、図7の例では支柱１と２、及び、支柱２と３の間に、中間支柱21を設けている。
中間支柱21は、その中間部を、ゲートの中間位置に位置するリンクアーム10と11の枢着点14において、当該枢着点14に軸止めする一方、軸止めした枢着点14の上，下に位置するリンクアーム10と11の上，下の枢着点14にガイドローラ22，23を設け、両ガイドローラ22，23を中間支柱21に上下動フリーに支持させるようにしている。なお、中間支柱21は、床面から浮いており、キャスタは具備しないが、当該支柱21の下方を延長して下端にキャスタ７を設けるようにしてもよい。
【００３０】
この中間支柱21を設けたことにより、４枚の２つ折りパネル20を、各パネル20の左右両端側を、支柱１と中間支柱21，中間支柱21と支柱２の左側，支柱２の右側と中間支柱21の左側、この中間支柱21と支柱３とに、それぞれ取付ける。これにより図７の例では４枚の２つ折りパネル20を伸縮ゲート体の裏面に取付けた本考案ゲートの第３例に形成される。
図７の本考案ゲートでは、ゲートを閉じたとき（伸縮ゲート体Sgが展開したとき）仮設エレベータの略全幅と全高に亘りパネル20が設けられているので、人や資材の運搬をより安全裡に行うことができる。
【産業上の利用可能性】
【００３１】
以上に述べたように本考案仮設エレベータ用のゲートは、図１〜図４により説明した基本形のゲートに、延長支柱やレールを付加したり、２つ折りパネルを付加して、ゲートの大きさ，仕様を容易に変更することができる。
しかも、各仕様における本考案ゲートでは、支柱とリンクアームを連結した単位幅の伸縮ゲート体とを用いることにより適宜の単位長さでゲート間口を大きくしたり、逆に小さくすることができる。
【００３２】
従って、本考案では、複数本の支柱，リンクアームによる伸縮ゲート体、延長支柱，中間支柱，レール，パネルなどを用意しておけば、殆んどの仕様，大きさの仮設エレベータ用ゲートを形成できるので、少ない部品点数、少ない製品在庫で様々な大きさの仮設エレベータ用ゲートを迅速に供給することができて便利である。
【図面の簡単な説明】
【００３３】
【図１】本考案ゲートを展開して仮設エレベータのゲートを閉じた状態の第１例の正面図。
【図２】図１のゲートを縮小（仮設エレベータのゲートは開）した状態の正面図。
【図３】図１，図２のゲートの側面図。
【図４】図１のゲートの平面図。
【図５】本考案ゲートの第２例を展開した状態の正面図。
【図６】図５のゲートを縮小した正面図。
【図７】上記第２例のゲートに２つ折りタイプのパネルを装着して本考案ゲートの第３例にした展開状態の正面図。
【符号の説明】
【００３４】
１〜３    支柱
４，５    可動支持板
６        固定支持板
７        キャスタ
８，９    把手（ハンドル）
Sg        伸縮ゲート体
10，11    長いリンクアーム
12，13    短いリンクアーム
14        枢着
15        リンクアームの端部
【図１】
0003141596.tif 000003
【図２】
0003141596.tif 000004
【図３】
0003141596.tif 000005
【図４】
0003141596.tif 000006
【図５】
0003141596.tif 000007
【図６】
0003141596.tif 000008
【図７】
0003141596.tif 000009